(57)【要約】【課題】高温洗濯行程終了後、洗濯水を安全な温度に下げて排水する。【解決手段】外槽３３内の洗濯水を加熱する加熱手段４０と、洗濯水の温度を検知する温度検知手段４１と、洗濯水を機外へ排水する排水手段３８とを備え、排水手段３８は、所定温度以下の洗濯水を流す第１の排水経路３８ａと、所定温度を超える洗濯水を流す第２の排水経路３８ｂと、第２の排水経路３８ｂに設けられた冷却手段３８ｄと、第１の排水経路３８ａと第２の排水経路３８ｂを切り換える切換手段３８ｃを有し、制御手段４２は、温度検知手段４１で検知した洗濯水の温度が所定温度以下の時は、切換手段３８ｃを第１の排水経路３８ａ側に切り換え、所定温度を超える時は、切換手段３８ｃを第２の排水経路３８ｂ側に切り換えるようにしたものである。【選択図】図１
2014079488.tif 000002
【特許請求の範囲】
【請求項１】
本体内に揺動可能に支持された外槽と、
前記外槽内に回転自在に配設された洗濯兼脱水槽と、
前記洗濯兼脱水槽を回転駆動する駆動手段と、
前記外槽に洗濯水を供給する給水手段と、
前記外槽内の洗濯水を加熱する加熱手段と、
前記外槽内の洗濯水の温度を検知する温度検知手段と、
前記外槽内の洗濯水を機外へ排水する排水手段と、
洗濯運転を制御する制御手段とを備え、
前記排水手段は、
所定温度以下の洗濯水を流す第１の排水経路と、
所定温度を超える洗濯水を流す第２の排水経路と、
前記第２の排水経路に設けられた冷却手段と、
前記第１の排水経路と前記第２の排水経路を切り換える切換手段を有し、
前記制御手段は、
前記温度検知手段で検知した洗濯水の温度が所定温度以下の時は、前記切換手段を前記第１の排水経路側に切り換え、所定温度を超える時は、前記切換手段を前記第２の排水経路側に切り換えるようにした
洗濯機。
【請求項２】
排水手段は、第１の排水経路の単位時間当たりの流量が第２の排水経路より多くなるようにした
請求項１記載の洗濯機。
【請求項３】
冷却手段は、洗濯水の熱を外部に放熱する放熱部を洗濯機背面に設けた
請求項１または２記載の洗濯機。
【請求項４】
冷却手段は、放熱部を洗濯機の裏板に設けた
請求項３記載の洗濯機。
【請求項５】
冷却手段は、洗濯水を放熱部の上部に送水する排水ポンプを備え、
洗濯水が前記放熱部の上部から下方へ流れるようにした
請求項１〜４のいずれか１項に記載の洗濯機。
【請求項６】
冷却手段は、放熱部を洗濯機の裏板の一部もしくは全面を覆うように配管した放熱管路で構成した
請求項１〜５のいずれか１項に記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、図７に示すように、前方に第１の開口部１を有し前上がりに傾斜した回転軸を有する有底円筒状の洗濯兼脱水槽２と、第１の開口部１に対向する第２の開口部３を有し洗濯兼脱水槽２を回転自在に内包する有底円筒状の外槽４と、外槽４を揺動可能に支持し第１の開口部１および第２の開口部３に対向する第３の開口部５を有する洗濯機本体６と、洗濯機本体６に設けられ洗濯物を出し入れする第３の開口部５を開閉する扉体７と、洗濯兼脱水槽２を回転駆動するモータ８を有している。
【０００３】
さらに、外槽４内の洗濯水を加熱する加熱手段９と、外槽４内の洗濯水の温度を検知する温度検知手段１０と、外槽４に連通し給水する第１の給水手段１１と、洗濯兼脱水槽２の第１の開口部１より洗濯兼脱水槽２内に給水する第２の給水手段１２と、外槽４内の洗濯水の水位を検知する水位検知手段１３と、外槽４の底部に連通した排水経路１４の途中に設けられ外槽４内の洗濯水の排水を制御する排水手段１５と、温度検知手段１０および水位検知手段１３等からの出力を入力し、モータ８、加熱手段９、第１の給水手段１１、第２の給水手段１２および排水手段１５等を制御して、一連の洗濯、すすぎ、脱水動作を制御する制御手段１６を備えている。
【０００４】
制御手段１６は、加熱手段９を制御して洗濯水を第１の所定温度以上に加熱して洗濯を行う高温洗濯行程を有し、高温洗濯行程終了後の排水行程において、少なくとも第２の給水手段１２によって一部または全量の給水を行い、加熱された洗濯水が排水可能な第２の所定温度になるまで、第１の給水手段１１、第２の給水手段１２および排水手段１５を制御し、給水および排水を繰り返す冷却動作を実行するようにしたものである（例えば、特許文献１参照）。
【先行技術文献】
【特許文献】
【０００５】
【特許文献１】特開２００７−６８６７７号公報
【発明の概要】
【発明が解決しようとする課題】
【０００６】
しかしながら、前記従来の構成では、高温洗濯行程終了後、高温に加熱されている洗濯水を排水する際に、安全な温度まで洗濯水の温度を下げるために、給水と排水を繰り返す冷却動作を行うものであるため、多量の水を必要とし、また、給排水の時間も必要となることから、洗濯にかかる時間が長くなるという問題があった。
【０００７】
本発明は、前記従来の課題を解決するもので、高温洗濯行程終了後、余分な水を使わずに、洗濯水を安全な温度に下げて排水することができる洗濯機を提供することを目的とする。
【課題を解決するための手段】
【０００８】
前記従来の課題を解決するために、本発明の洗濯機は、外槽内の洗濯水を加熱する加熱手段と、前記外槽内の洗濯水の温度を検知する温度検知手段と、前記外槽内の洗濯水を機外へ排水する排水手段と、洗濯運転を制御する制御手段とを備え、前記排水手段は、所定温度以下の洗濯水を流す第１の排水経路と、所定温度を超える洗濯水を流す第２の排水経路と、前記第２の排水経路に設けられた冷却手段と、前記第１の排水経路と前記第２の排水経路を切り換える切換手段を有し、前記制御手段は、前記温度検知手段で検知した洗濯水の温度が所定温度以下の時は、前記切換手段を前記第１の排水経路側に切り換え、所定温度を超える時は、前記切換手段を前記第２の排水経路側に切り換えるようにしたものである。
【０００９】
これによって、高温洗濯行程終了後、直ちに排水行程を開始しても、温度検知手段で検知した洗濯水の温度が所定温度を超えていると、切換手段を第２の排水経路側に切り換え、洗濯水を第２の排水経路に設けた冷却手段で冷却することができるので、給水と排水を繰り返すことなく、冷却手段により洗濯水を安全な温度まで冷却して排水することができる。
【発明の効果】
【００１０】
本発明の洗濯機は、高温洗濯行程終了後、余分な水を使わずに、洗濯水を安全な温度に下げて排水することができる。
【図面の簡単な説明】
【００１１】
【図１】本発明の実施の形態１における洗濯機の要部断面図
【図２】本発明の実施の形態２における洗濯機の要部断面図
【図３】本発明の実施の形態３における洗濯機の要部断面図
【図４】本発明の実施の形態４における洗濯機の要部断面図
【図５】本発明の実施の形態５における洗濯機の要部断面図
【図６】本発明の実施の形態６における洗濯機の要部断面図
【図７】従来の洗濯機の要部断面図
【発明を実施するための形態】
【００１２】
第１の発明は、本体内に揺動可能に支持された外槽と、前記外槽内に回転自在に配設された洗濯兼脱水槽と、前記洗濯兼脱水槽を回転駆動する駆動手段と、前記外槽に洗濯水を供給する給水手段と、前記外槽内の洗濯水を加熱する加熱手段と、前記外槽内の洗濯水の温度を検知する温度検知手段と、前記外槽内の洗濯水を機外へ排水する排水手段と、洗濯運転を制御する制御手段とを備え、前記排水手段は、所定温度以下の洗濯水を流す第１の排水経路と、所定温度を超える洗濯水を流す第２の排水経路と、前記第２の排水経路に設けられた冷却手段と、前記第１の排水経路と前記第２の排水経路を切り換える切換手段を有し、前記制御手段は、前記温度検知手段で検知した洗濯水の温度が所定温度以下の時は、前記切換手段を前記第１の排水経路側に切り換え、所定温度を超える時は、前記切換手段を前記第２の排水経路側に切り換えるようにしたことにより、高温洗濯行程終了後、直ちに排水行程を開始しても、温度検知手段で検知した洗濯水の温度が所定温度を超えていると、切換手段を第２の排水経路側に切り換え、洗濯水を第２の排水経路に設けた冷却手段で冷却することができるので、給水と排水を繰り返すことなく、冷却手段により洗濯水を安全な温度まで冷却して排水することができる。
【００１３】
第２の発明は、特に、第１の発明の排水手段は、第１の排水経路の単位時間当たりの流量が第２の排水経路より多くなるようにしたことにより、通常温度での洗濯行程終了後、温度検知手段で検知した洗濯水の温度が所定温度以下であると、切換手段を第１の排水経路側に切り換え、洗濯水を第１の排水経路に流すようにするため、洗濯水は短時間に排水されて通常の洗濯時間を確保することができる。
【００１４】
第３の発明は、特に、第１または第２の発明の冷却手段は、洗濯水の熱を外部に放熱する放熱部を洗濯機背面に設けたことにより、温度が上昇する放熱部の熱を安全に冷却することができる。
【００１５】
第４の発明は、特に、第３の発明の冷却手段は、放熱部を洗濯機の裏板に設けたことにより、放熱面積の広い裏板を介して効率よく放熱することができる。
【００１６】
第５の発明は、特に、第１〜第４のいずれか１つの発明において、冷却手段は、洗濯水を放熱部の上部に送水する排水ポンプを備え、洗濯水が前記放熱部の上部から下方へ流れるようにしたことにより、自然落下を利用して放熱部内を流れる洗濯水の流速を一定にして、確実に熱を奪うことができる。
【００１７】
第６の発明は、特に、第１〜第５のいずれか１つの発明の冷却手段は、放熱部を洗濯機の裏板の一部もしくは全面を覆うように配管した放熱管路で構成したことにより、放熱管路を長く構成することができ、洗濯水の熱を更に効率よく奪うことができるので、洗濯水の量が多くなっても確実に安全な温度まで下げることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯機の要部断面図を示すものである。図１に示すように、洗濯兼脱水槽３４は、有底円筒形に形成し外周部に多数の通水孔３４ａを全面に設け、外槽３３内に回転自在に配設している。洗濯兼脱水槽３４の回転中心に回転軸３４ｂを設け、洗濯兼脱水槽３４の軸心方向を正面側から背面側に向けて下向きに傾斜させて配設している。
【００２０】
この回転軸３４ｂに、外槽３３の背面に取り付けたモータ（駆動手段）３５を連結し、洗濯兼脱水槽３４を正転、逆転方向に回転駆動する。モータ３５はブラシレス直流モータで構成され、インバータ制御によって回転速度が自在に変化させることができるようになっている。
【００２１】
洗濯兼脱水槽３４の内壁面に数個の突起部３４ｃを設け、衣類を洗濯兼脱水槽３４の回転方向へ持ち上げて撹拌をしやすくしている。外槽３３の正面側の上向き傾斜面に設けた開口部３３ａを蓋体３１により開閉自在に覆い、この蓋体３１を開くことにより、衣類出入口３４ｄを通して洗濯兼脱水槽３４内に洗濯物を出し入れできるようにしている。蓋体３１を上向き傾斜面に設けているため、洗濯物を出し入れする際、腰を屈めることなく行うことができる。
【００２２】
なお、蓋体３１は、運転動作中の安全性を確保するため、閉じた状態でロックすることが可能な構成を有する。外槽３３は、洗濯機の本体３０内に、ばね（図示せず）とダンパー（図示せず）により揺動可能に吊り下げて防振支持すると共に、外槽３３の下部に設けた排水口３２に排水手段３８を接続して外槽３３内の洗濯水を排水するようにしている。
【００２３】
給水手段３６は、第１の給水弁３６ａ、洗剤投入ケース３７および第１の給水経路３６ｂを通して外槽３３内に水を給水するものである。また、給水手段３６は、洗濯兼脱水槽３４の上方より内部へ給水が可能な第２の給水弁３６ｃと、第２の給水経路３６ｄにも連通している。
【００２４】
排水手段３８は、第１の排水経路３８ａと、第２の排水経路３８ｂと、この２つの排水経路３８ａ、３８ｂを切り換える切換弁（切換手段）３８ｃと、第２の排水経路３８ｂに設けられた冷却手段３８ｄとで構成されている。
【００２５】
第１の排水経路３８ａは第２の排水経路３８ｂをバイパスするように配管されており、第２の排水経路３８ｂの入口側を切換弁３８ｃに連通接続し、洗濯水の出口側を第１の排水経路３８ａの下流部分に連通接続している。冷却手段３８ｄは、金属製のパイプに多数の放熱フィンを放射状に設けたもので、金属製のパイプを流れる高温の洗濯水と外気との間で効率良く熱交換がなされるように構成されている。
【００２６】
水位検知手段３９は、外槽３３内の水位を検知するものである。また、外槽３３内の底部には、洗濯水を加熱するシーズヒータ等からなるヒータ（加熱手段）４０と、洗濯水の温度を検知する温度検知手段４１を設け、洗濯兼脱水槽３４内の洗濯物の洗浄効果を高める温水洗浄機能を有している。
【００２７】
なお、本実施の形態では、洗濯兼脱水槽３４の回転中心に略傾斜方向に回転軸３４ｂを設け、洗濯兼脱水槽３４の軸心方向を正面側から背面側に向けて下向きに傾斜させて配設しているが、洗濯兼脱水槽３４の回転中心に略水平方向に回転軸３４ｂを設け、洗濯兼脱水槽３４の軸心方向を略水平方向に配設してもよい。
【００２８】
制御手段４２は、モータ３５、給水手段３６、排水手段３８、ヒータ４０などの動作を制御し、洗濯、すすぎ、脱水の一連の行程を逐次制御するマイクロコンピュータを有している。
【００２９】
制御手段４２は、運転コース等を設定するための入力設定手段（図示せず）からの情報を入力して、その情報を基に表示手段４３で表示するとともに、入力設定手段により運転開始が設定されると、外槽３３内の水位を検知する水位検知手段３９等からのデータを入力して負荷駆動手段（図示せず）を介して、モータ３５、給水手段３６、排水手段３８、ヒータ４０などの動作を制御し、洗濯運転を行う。
【００３０】
以上のように構成された洗濯機について、以下その動作、作用を説明する。使用者が蓋体３１を開いて洗濯兼脱水槽３４内に洗濯物を投入し、再び蓋体３１を閉じて、電源スイッチ（図示せず）をオンした後、コース設定スイッチ（図示せず）を操作してコースを設定する。
【００３１】
さらに、水位、水温、洗い時間、すすぎ回数、脱水時間等の設定に変更が有るか否かを判断し、変更が有る場合は、水位変更入力設定スイッチ、水温変更入力スイッチ、洗い時間設定スイッチ、すすぎ回数設定スイッチ、脱水時間設定スイッチ等を操作して、各設定の変更を行い、表示手段４３により変更内容の表示を確認する。
【００３２】
変更がない場合は、表示手段４３に設けたスタートスイッチを操作して運転を開始すると、制御手段４２によりフタロックを行い、給水手段３６を動作して給水し、水位検知手段３９により所定の水位まで給水されたか否かを判断する。所定の水位まで給水されたと判定された場合、洗濯行程に移行し、モータ３５を駆動して洗濯兼脱水槽３４の回転を開始する。
【００３３】
洗濯行程では、洗濯物が水分を吸水するため水位が低下するので不足分を補給水しながら、洗濯兼脱水槽３４をモータ３５によって回転駆動する。洗濯兼脱水槽３４内の洗濯物は、突起部３４ｃによって洗濯兼脱水槽３４の回転方向へ持ち上げられ、洗濯兼脱水槽３４内の上方から底部に落下し、叩き洗いの作用で洗濯がおこなわれる。
【００３４】
制御手段４２は、水温の設定の有無を確認し、必要な水温に設定されている場合は、ヒータ４０に通電して洗濯水を加熱する。温度検知手段４１により洗濯水の温度を検知し、第１の所定温度（例えば７０℃）以上に加熱しているか否かを判断して、加熱している場合は、ヒータ４０の通電制御を終了する。
【００３５】
所定の洗い時間が経過したか否かを判断し、経過している場合は、モータ３５の駆動を止めて洗濯兼脱水槽３４の回転を停止して洗濯行程を終了し、外槽３３内の洗濯水を排水する。このとき、制御手段４２は、温度検知手段４１により、洗濯水の温度が第２の所定温度（例えば５５℃）より高い温度で有るか否かを判断し、高い温度である場合は、制御手段４２は、切換手段３８ｃを第２の排水経路３８ｂ側に切り換える。
【００３６】
第２の所定温度より高い温度の洗濯水は、第２の排水経路３８ｂに設けた冷却手段３８ｄを経由して排水されることになる。このとき、洗濯水の熱は、冷却手段３８ｄの金属製パイプに伝わり、放熱フィンより外気に放熱される。これにより、洗濯水の温度は低下し、冷却手段３８ｄを出る時には第２の所定温度以下になって排水される。
【００３７】
また、通常温度での洗濯行程終了後は、温度検知手段４１により洗濯水の温度を検知して制御手段４２に入力し、制御手段４２は、所定温度（５５℃）以下と判断して、切換手段３８ｃを第１の排水経路３８ａ側に切り換え、洗濯水を第１の排水経路３８ａに流して排水するようにしている。
【００３８】
以上のように、本実施の形態においては、本体３０内に揺動可能に支持された外槽３３と、外槽３３内に回転自在に配設された洗濯兼脱水槽３４と、洗濯兼脱水槽３４を回転駆動する駆動手段３５と、外槽３３に洗濯水を供給する給水手段３６と、外槽３３内の洗濯水を加熱する加熱手段４０と、外槽３３内の洗濯水の温度を検知する温度検知手段４１と、外槽３３内の洗濯水を機外へ排水する排水手段３８と、洗濯運転を制御する制御手段４２とを備え、排水手段３８は、所定温度以下の洗濯水を流す第１の排水経路３８ａと、所定温度を超える洗濯水を流す第２の排水経路３８ｂと、第２の排水経路３８ｂに設けられた冷却手段３８ｄと、第１の排水経路３８ａと第２の排水経路３８ｂを切り換える切換手段３８ｃを有し、制御手段４２は、温度検知手段４１で検知した洗濯水の温度が所定温度以下の時は、切換手段３８ｃを第１の排水経路３８ａ側に切り換え、所定温度を超える時は、切換手段３８ｃを第２の排水経路３８ｂ側に切り換えるようにしたものであり、高温洗濯行程終了後、直ちに排水行程を開始しても、温度検知手段４１で検知した洗濯水の温度が所定温度を超えていると、切換手段３８ｃを第２の排水経路３８ｂ側に切り換え、洗濯水を冷却して排水するため、給水と排水を繰り返すことなく、冷却手段３８ｄにより洗濯水を安全な温度まで冷却して排水することができる。
【００３９】
（実施の形態２）
図２は、本発明の第２の実施の形態における洗濯機の要部断面図を示すものである。本実施の形態の特徴は、排水手段３８は、第１の排水経路３８ａの単位時間当たりの流量が第２の排水経路３８ｂより多くなるようにしたものである。他の構成は実施の形態１と同じであり、同一の構成に同一の符号を付して、詳細な説明は実施の形態１のものを援用する。
【００４０】
図２において、第２の排水経路３８ｂの入口側を切換弁３８ｃに連通接続し、出口側を第１の排水経路３８ａの下流部分に連通接続している。第２の排水経路３８ｂは、第１の排水経路３８ａより細く、かつ、長く形成することによって、第１の排水経路３８ａの単位時間当たりの流量が第２の排水経路３８ｂより多くなるようにしている。
【００４１】
これにより、第２の排水経路３８ｂを流れる高温の洗濯水は、排水に時間がかかり、冷却手段３８ｄを通過する洗濯水の流速が遅くなって、熱交換の時間が長くなるので、洗濯水の熱を効果的に放熱し、温度を下げて排水することができる。また、通常温度での洗濯行程終了後は、切換弁３８ｃを第１の排水経路３８ａ側に切り換え、洗濯水を第１の排水経路３８ａに流すようにするため、洗濯水は迅速に短時間で排水されて通常の洗濯時間を確保することができる。
【００４２】
（実施の形態３）
図３は、本発明の第３の実施の形態における洗濯機の要部断面図を示すものである。本実施の形態の特徴は、冷却手段３８ｄは、洗濯水の熱を外部に放熱する放熱部３８ｅを洗濯機背面３０ａに設けたものである。他の構成は実施の形態１と同じであり、同一の構成に同一の符号を付して、詳細な説明は実施の形態１のものを援用する。
【００４３】
図３において、第２の排水経路３８ｂの入口側を切換弁３８ｃに連通接続し、出口側を第１の排水経路３８ａの下流部分に連通接続している。第２の排水経路３８ｂは、第１の排水経路３８ａより細く、かつ、長く形成している。第２の排水経路３８ｂには、洗濯水の熱を外部に放熱する放熱部３８ｅを設け、この放熱部３８ｅを洗濯機背面３０ａに設けている。
【００４４】
これにより、第２の排水経路３８ｂを流れる高温の洗濯水で高温になった放熱部３８ｅの熱を、洗濯機背面３０ａで外気に放熱し、安全に冷却することができる。
【００４５】
（実施の形態４）
図４は、本発明の第４の実施の形態における洗濯機の要部断面図を示すものである。本実施の形態の特徴は、冷却手段３８ｄは、放熱部３８ｅを洗濯機の裏板３０ｂに設けたものである。他の構成は実施の形態１と同じであり、同一の構成に同一の符号を付して、詳細な説明は実施の形態１のものを援用する。
【００４６】
図４において、第２の排水経路３８ｂの入口側を切換弁３８ｃに連通接続し、出口側を第１の排水経路３８ａの下流部分に連通接続している。第２の排水経路３８ｂは、第１の排水経路３８ａより細く、かつ、長く形成している。第２の排水経路３８ｂには、洗濯水の熱を外部に放熱する放熱部３８ｅを設け、この放熱部３８ｅを洗濯機の背面３０ａを構成する裏板３０ｂに設けたものである。裏板３０ｂは、良熱伝導性の薄い金属板（例えばアルミニウム等）で形成し、広い面積を有している。
【００４７】
これにより、洗濯水の熱を放熱部３８ｅを介して、放熱面積の広い裏板３０ｂから効率よく放熱することができる。
【００４８】
（実施の形態５）
図５は、本発明の第５の実施の形態における洗濯機の要部断面図を示すものである。本実施の形態の特徴は、冷却手段３８ｄは、洗濯水を放熱部３８ｅの上部に送水する排水ポンプ４４を設けたものである。他の構成は実施の形態１と同じであり、同一の構成に同一の符号を付して、詳細な説明は実施の形態１のものを援用する。
【００４９】
図５において、第２の排水経路３８ｂの入口側を排水ポンプ４４を介して切換弁３８ｃに連通接続し、出口側を第１の排水経路３８ａの下流部分に連通接続している。第２の排水経路３８ｂは、第１の排水経路３８ａより細く、かつ、長く形成している。第２の排水経路３８ｂには、洗濯水の熱を外部に放熱する放熱部３８ｅを設け、この放熱部３８ｅを洗濯機の背面３０ａを構成する裏板３０ｂに設けたものである。
【００５０】
第２の排水経路３８ｂを流れる高温の洗濯水を、排水ポンプ４４で放熱部３８ｅの上部に送水し、洗濯水が放熱部３８ｅを上部から下方へ流れて洗濯機背面３０ａで外気に放熱するようにしている。
【００５１】
これにより、洗濯水の自然落下を利用して放熱部３８ｅ内を流れる洗濯水の流速を一定にすることができ、確実に熱を奪うことができる。
【００５２】
（実施の形態６）
図６は、本発明の第６の実施の形態における洗濯機の要部断面図を示すものである。本実施の形態の特徴は、冷却手段３８ｄは、放熱部３８ｅを洗濯機の裏板３０ｂの一部もしくは全面を覆うように配管した放熱管路３８ｆで構成したものである。他の構成は実施の形態１と同じであり、同一の構成に同一の符号を付して、詳細な説明は実施の形態１のものを援用する。
【００５３】
図６において、第２の排水経路３８ｂの入口側を排水ポンプ４４を介して切換弁３８ｃに連通接続し、出口側を第１の排水経路３８ａの下流部分に連通接続している。第２の排水経路３８ｂは、第１の排水経路３８ａより細く、かつ、長く形成している。第２の排水経路３８ｂには、洗濯水の熱を外部に放熱する放熱部３８ｅを設け、この放熱部３８ｅを洗濯機の背面３０ａの一部もしくは全面を覆うように配管した放熱管路３８ｆで構成したものである。
【００５４】
これにより、放熱管路３８ｆを長く構成することができ、洗濯水の熱を更に効率よく奪うので、洗濯水の量が多くなっても確実に安全な温度まで下げることができる。
【産業上の利用可能性】
【００５５】
以上のように、本発明にかかる洗濯機は、高温洗濯行程終了後、余分な水を使わずに、洗濯水を安全な温度に下げて排水することができるので、洗濯機として有用である。
【符号の説明】
【００５６】
３０  本体
３３  外槽
３４  洗濯兼脱水槽
３５  モータ（駆動手段）
３６  給水手段
３８  排水手段
３８ａ  第１の排水経路
３８ｂ  第２の排水経路
３８ｃ  切換手段
３８ｄ  冷却手段
４０  ヒータ（加熱手段）
４１  温度検知手段
４２  制御手段
【図１】
2014079488.tif 000003
【図２】
2014079488.tif 000004
【図３】
2014079488.tif 000005
【図４】
2014079488.tif 000006
【図５】
2014079488.tif 000007
【図６】
2014079488.tif 000008
【図７】
2014079488.tif 000009